(57)【特許請求の範囲】
【請求項１】
荷物箱本体が、両端壁および両側壁を互いに隣合わせで連続され、そして、その両端壁を底壁の両端に、その両側壁をその底壁の両側端にそれぞれ連続的に折りたたみ可能に立ち上げて方形箱状になされ、蓋が、それの先端部分を折りたたみ可能な吊下げフラップになし、そして、その両側壁の一方の先端から連続的に伸びてその荷物箱本体の開口を開閉可能になされ、前記蓋の表面には、複数のスナップ−アクション・ファスナーを設け、その蓋の表面をリア・シートのシート・バックの背裏面に取り外し可能に止めて、そして、それらが折りたたまれた際、前記蓋の吊下げフラップが底壁の外側に折り曲げられ、そのリア・シートに格納されるところの自動車に用いる大容量荷物箱。
【請求項２】
その荷物箱本体が、それの底に方形ワイヤ・フレームをはめ込む請求項１に記載の自動車に用いる大容量荷物箱。
【発明の詳細な説明】
【技術分野】
【０００１】
この発明は、自動車に用いる大容量荷物箱に関し、詳細には、自動車内で使用でき、また、車外に持ち出して使用もでき、そしてスペースを取らずにスマートに格納可能にするところの自動車に用いる大容量荷物箱に関する。
【背景技術】
【０００２】
ミニバンやスポーツ・ユーティリティ・ビークルなどでは、最終列のシートの後方に荷室を備え、多数の嵩張る荷物をまとめて大きな荷物箱に入れ、そして、その荷物箱をその荷室に置いて移動する。
ところが、この種の大きな荷物箱は、嵩張って格納スペースを取るので、乗用車や軽自動車には適さない。
【先行技術文献】
【特許文献】
【０００３】
特許第３９６０９１５号公報
【発明の概要】
【発明が解決しようとする課題】
【０００４】
この発明の課題は、嵩張る荷物を多数入れることができ、自動車内で使用することも車外に持ち運んで使用することもでき、そして、不使用時には、スマートにコンパクトにまとめられてスペースを取らずにシート・バックの背裏面に取り外し可能に格納できて各種の自動車に活用可能にするところの自動車に用いる大容量荷物箱を提供するにある。
【課題を解決するための手段】
【０００５】
この発明の自動車に用いる大容量荷物箱は、荷物箱本体が、両端壁および両側壁を互いに隣合わせで連続され、そして、その両端壁を底壁の両端に、その両側壁をその底壁の両側端にそれぞれ連続的に折りたたみ可能に立ち上げて方形箱状になされ、蓋が、それの先端部分を折りたたみ可能な吊下げフラップになし、そして、その両側壁の一方の先端から連続的に伸びてその荷物箱本体の開口を開閉可能になされ、前記蓋の表面には、複数のスナップ−アクション・ファスナーを設け、その蓋の表面をリア・シートのシート・バックの背裏面に取り外し可能に止めて、そして、それらが折りたたまれた際、前記蓋の吊下げフラップが底壁の外側に折り曲げられ、そのリア・シートに格納される。
【発明の効果】
【０００６】
この発明の自動車に用いる大容量荷物箱では、その荷物箱本体が、折りたたまれ、また、箱に展開されて嵩張る荷物が多数入れられ、自動車内に使用することも車外に持ち運んで使用することも可能になり、そして、不使用時には、薄く折りたたまれてスマートにまとめられて格納スペースを取らずにその全体がその蓋でシート・バックの背裏面に取り外し可能に取り付けられてそのシート・バックのその背裏面に嵩張らずにコンパクでスマートに格納され、それに伴って各種の自動車に適応可能になる。
【図面の簡単な説明】
【０００７】
【図１】ミニバンに活用されるところのこの発明の自動車に用いる大容量荷物箱の具体例を示した斜視図である。
【図２】そのミニバンのリア・シートにおいてシート・バックの背裏面二格納された状態でその大容量荷物箱を示した斜視図である。
【図３】そのシート・バックのその背裏面において展開状態でその大容量荷物箱を示した斜視図である。
【図４】車外持ち運び時、取り外した状態でその大容量荷物箱を示した斜視図である。
【発明を実施するための形態】
【０００８】
この発明の自動車に用いる大容量荷物箱は、荷物箱本体が、両端壁および両側壁を互いに隣合せで連続され、そして、その両端壁を底壁の両端に、その両側壁をその底壁の両側端にそれぞれ連続的に折りたたみ可能に立ち上げて方形箱状になされ、蓋が、それの先端部分を折りたたみ可能な吊下げフラップになし、そして、その両側壁の一方の先端から連続的に伸びてその荷物箱本体の開口を開閉可能になされ、そして、それらが折りたたまれ、複数のスナップ−アクション・ファスナーでその蓋の表面をリア・シートのシート・バックの背裏面に取り外し可能に止めてそのリア・シートに格納される。
そして、その荷物箱本体が、それの底に方形ワイヤ・フレームをはめ込む。
【実施例１】
【０００９】
以下、特定されて図示された具体例に基づいて、この発明の自動車に用いる大容量荷物箱を説明するに、図1ないし図４は、ミニバンに活用されるところのこの発明の自動車に
用いる大容量荷物箱の具体例１０を示し、そして、この大容量荷物箱１０は、それの底に方形ワイヤ・フレーム２０をはめ込んで剛性を出す構造で複数のズック片を縫い合わせて折りたたみ展開可能で嵩張る荷物を多数入れて持ち運びできる製品に作られ、そして薄い形に折りたたんでリア・シート３０の左右のシート・バック３２、３３の一方３２の背裏面３６に格納可能に活用される。
【００１０】
このミニバンでは、そのリア・シート３０は、ベンチ型シート・クッション３１、その左右のシート・バック３２、３３、および左右のヘッドレスト３４、３５などで組み立てられ、そのシート・クッション３１がそのミニバンのフロアに据え付けられ、その左右のシート・バック３２、３３がそれぞれリクライニング・デバイス（図示せず）でそのシート・クッション３１に前倒しおよび角度調整可能に支持され、そして、その左右のヘッドレスト３４、３５が、その左右のシート・バック３２、３３の上面に対応的に取り外し可能に取り付けられる。
【００１１】
さらに詳細に述べるに、この大容量荷物箱１０では、荷物箱本体１１が、両端壁１３、１３および両側壁１４、１４を互いに隣合せで連続され、そして、その両端壁１３、１３を底壁１２の両端に、その両側壁１４、１４をその底壁１２の両側端にそれぞれ連続的に折りたたみ可能に立ち上げて方形箱状になされ、蓋１６が、それの先端部分を折りたたみ可能な吊下げフラップ１９になし、そして、その両側壁１４、１４の一方１４の先端から連続的に伸びてその荷物箱本体１１の開口１５を開閉可能になされ、そして、それらが折りたたまれ、４個のスナップ−アクション・ファスナー２１、２１、２１、２１でその蓋１６の表面１７をリア・シート３０のシート・バック３２の背裏面３６に取り外し可能に止めてそのリア・シート３０に格納される。
【００１２】
その方形ワイヤ・フレーム２０は、その荷物箱本体１１にはめ込まれ、その底壁１２とその両端壁１３、１３との間と、その底壁１２とその両側壁１４、１４との間とで袋縫いされて一体化され、そして、その荷物箱本体１１に剛性を与える。
【００１３】
そのスナップ−アクション・ファスナー２１、２１、２１、２１は、ソケット２２およびヘッド形ボタン２３の組合せでそのソケット２２、２２、２２、２２がその蓋１６のその表面１７に開口されてその蓋１６のコーナー１８、１８、１８、１８に取り付けられ、一方、そのヘッド形ボタン２３、２３、２３、２３がその左のシート・バック３２のバック・ボード３７の表面３８に突き出されてそのバック・ボード３７のコーナー３９、３９、３９、３９に取り付けられ、そして、図２に示したように箱全体１０を折りたたんでそ
の左のシート・バック３２のその背裏面３６に格納するのに活用されたり、また、図３に示したようにその格納状態から使用状態にその荷物箱本体１１を展開させてそのミニバンの荷室４０において嵩張る荷物５０、５１、５２を入れるのに活用され、さらには、図４に示したようにその左のシート・バック３２のその背裏面３６から箱全体１０を取り外して車外に持ち運びできるように活用される。
【００１４】
したがって、この大容量荷物箱１０は、不使用時、先ず、その両端壁１３、１３がその底壁１２上に折りたたまれ、次に、その両側壁１４、１４がその折たたまれた両端壁１３、１３上に折りたたまれてその蓋１６がその吊下げフラップ１９をその底壁１２の外側に折り曲げられてその箱全体１０が薄く折りたたまれてスマートにまとめられ、その折たたみ状態でその蓋１６のその４個のソケット２２、２２、２２、２２をそのリア・シート３０のその左のシート・バック３２のそのバック・ボード３７のその４個のボタン２３、２３、２３、２３に対応的にかみ合わせてその箱全体１０がその蓋１６でその左のシート・バック３２のその背裏面３６に取り外し可能に取り付けられ、図２に示されたようにその左のシート・バック３２のその背裏面３６に嵩張らず格納スペースを取らずにコンパクトでスマートに格納される。
【００１５】
また、この大容量荷物箱１０は、図３に示されたようにその蓋１６でそのバック・ボード３７に取り付けられた状態でその荷物箱本体１１をその荷室４０に展開させてその荷物箱本体１１に嵩張る荷物５０、５１、５２を入れてそのミニバン内で活用される。そしてさらに、図４に示されたようにそのバック・ボード３７からその蓋１６を取り外すことによってそのままそのミニバンの外に持ち運んで車外で活用される。
そのようにして、この大容量荷物箱１０は、ミニバンやスポーツ・ユーティリティ・ビークルのみならず種々の自動車に適応され活用される。
【００１６】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１７】
上述から理解されるように、この発明の自動車に用いる大容量荷物箱は、荷物箱本体が、両端壁および両側壁を互いに隣合せで連続され、そして、その両端壁を底壁の両端に、その両側壁をその底壁の両側端にそれぞれ連続的に折りたたみ可能に立ち上げて方形箱状になされ、蓋が、それの先端部分を折りたたみ可能な吊下げフラップになし、そして、その両側壁の一方の先端から連続的に伸びてその荷物箱本体の開口を開閉可能になされ、そして、それらが折りたたまれ、複数のスナップ−アクション・ファスナーでその蓋の表面をリア・シートのシート・バックの背裏面に取り外し可能に止めてそのリア・シートに格納されるので、この発明の自動車に用いる大容量荷物箱では、その荷物箱本体が、折りたたまれ、箱が展開されて嵩張る荷物が多数入れられ、自動車内に使用することも車外に持ち運んで使用することも可能になり、そして、不使用時には、薄く折りたたまれてスマートにまとめられて格納スペースを取らずにその全体がその蓋でシート・バックの背裏面に取り外し可能に取り付けられてそのシート・バックのその背裏面に嵩張らずにコンパクでスマートに格納され、それに伴って各種の自動車に適応可能になり、その結果、各種の自動車にとって非常に有用で実用的である。
【符号の説明】
【００１８】
１０  大容量荷物箱
１１  荷物箱本体
１２  底壁
１３  端壁
１４  側壁
１５  開口
１６  蓋
１７  表面
１８  コーナー
１９  折りたたみ可能な吊下げフラップ
２０  方形ワイヤ・フレーム
２１  スナップ−アクション・ファスナー
２２  ソケット
２３  ヘッド形ボタン
３０  リア・シート
３１  ベンチ型シート・クッション
３２  左のシート・バック
３３  右のシート・バック
３４  左のヘッドレスト
３５  右のヘッドレスト
３６  背裏面
３７  バック・ボード
３８  表面
３９  コーナー
４０  荷室
５０  嵩張る荷物
５１  嵩張る荷物
５２  嵩張る荷物
【図１】
0005706229.tif 000002
【図２】
0005706229.tif 000003
【図３】
0005706229.tif 000004
【図４】
0005706229.tif 000005